【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
移動端末によって、基地局からシステム情報を受信する方法であって、
第１のシステム情報のブロックを、放送チャネルを介して該基地局から受信することであって、該放送チャネルはシステム情報のみを放送するように構成されている、ことと、
第１のシステム情報のブロックが受信された後、第２のシステム情報の第１のブロックを、ダウンリンク共有チャネルを介して該基地局から受信することであって、該ダウンリンク共有チャネルはシステム情報および他のデータを搬送するように構成され、該第２のシステム情報の第１のブロックは、スケジュール情報を含む、ことと、
該第２のシステム情報の第１のブロックが受信された後、該第２のシステム情報の該第１のブロックに含まれる該スケジュール情報に従って、第２のシステム情報の第２のブロックを、該ダウンリンク共有チャネルを介して該基地局から受信することと
を含む、方法。
【請求項２】
前記スケジュール情報は、周期数情報およびマッピング情報のうちの少なくとも１つを含む、請求項１に記載の方法。
【請求項３】
前記周期数情報およびマッピング情報のうちの少なくとも１つは、第２のシステム情報の前記第２のブロックを受信するための情報である、請求項２に記載の方法。
【請求項４】
第１のシステム情報のブロックは、帯域幅情報および物理層に関するパラメータ情報のうちの少なくとも１つを含む、請求項１に記載の方法。
【請求項５】
第２のシステム情報の第２のブロックは、
共通チャネル関連情報または共有チャネル関連情報と、
セル送信情報と、
セル選択関連情報と、
配置関連情報と、
マルチメディアブロードキャストマルチキャストサービス（ＭＢＭＳ）関連情報と
のうちの１つをさらに含む、請求項１に記載の方法。
【請求項６】
前記ダウンリンク共有チャネルは、ＨＡＲＱ（ハイブリッド自動リピート要求）スキームをサポートする、請求項１に記載の方法。
【請求項７】
第２のシステム情報の前記第１のブロックは、Ｖａｌｕｅ  ｔａｇ情報およびセルアクセス関連情報をさらに含み、
該セルアクセス関連情報は、ＰＬＭＮ（Ｐｕｂｌｉｃ  Ｌａｎｄ  Ｍｏｂｉｌｅ  Ｎｅｔｗｏｒｋ）識別情報、追跡エリア識別情報およびセル禁止情報のうちの少なくとも１つを含む、請求項１に記載の方法。
【請求項８】
第１のシステム情報のブロックを受信するステップは、
対応する第１の所定期間に従って、前記放送チャネルを介して第１のシステム情報のブロックを定期的に受信することを包含する、請求項１に記載の方法。
【請求項９】
第２のシステム情報の第１のブロックを受信するステップは、
対応する第２の所定期間に従って、前記ダウンリンク共有チャネルを介して第２のシステム情報の第１のブロックを定期的に受信することを包含する、請求項８に記載の方法。
【請求項１０】
第２のシステム情報の第１のブロックを受信するステップは、
前記第１のシステムのブロックを受信した後の所定の時間において、第２のシステム情報の前記第１のブロックを受信することを包含する、請求項１に記載の方法。
【請求項１１】
第１のシステム情報のブロックを受信するステップは、
前記放送チャネルの所定のフレームにおいて第１のシステム情報のブロックを受信することを包含する、請求項１に記載の方法。
【請求項１２】
第２のシステム情報の第１のブロックを受信するステップは、
前記ダウンリンク共有チャネルの所定のフレームにおいて第２のシステム情報の第１のブロックを受信することを包含する、請求項１に記載の方法。
【請求項１３】
第２のシステム情報の第２のブロックを受信するステップは、
第２のシステム情報の複数の第２のブロックを受信することであって、第２のシステム情報の各第２のブロックは相互に排他的である、請求項１に記載の方法。
【請求項１４】
第２のシステム情報の各第２のブロックは、対応する第２のブロック期間を有する、請求項１３に記載の方法。
【請求項１５】
基地局によって、システム情報を少なくとも１つの移動端末に送信する方法であって、
第１のシステム情報のブロックを、放送チャネルを介して該少なくとも１つの移動端末に送信することであって、該放送チャネルはシステム情報のみを放送するように構成されている、ことと、
第１のシステム情報のブロックが送信された後、第２のシステム情報の第１のブロックを、ダウンリンク共有チャネルを介して該少なくとも１つの移動端末に送信することであって、該ダウンリンク共有チャネルはシステム情報および他のデータを搬送するように構成され、該第２のシステム情報の第１のブロックは、スケジュール情報を含む、ことと、
該第２のシステム情報の第１のブロックが送信された後、該第２のシステム情報の該第１のブロックに含まれる該スケジュール情報に従って、第２のシステム情報の第２のブロックを、該ダウンリンク共有チャネルを介して該少なくとも１つの移動端末に送信することと
を含む、方法。
【請求項１６】
前記スケジュール情報は、周期数情報およびマッピング情報のうちの少なくとも１つを含む、請求項１５に記載の方法。
【請求項１７】
前記周期数情報およびマッピング情報のうちの少なくとも１つは、第２のシステム情報の前記第２のブロックを受信するための情報である、請求項１６に記載の方法。
【請求項１８】
第１のシステム情報のブロックは、帯域幅情報および物理層に関するパラメータ情報のうちの少なくとも１つを含む、請求項１５に記載の方法。
【請求項１９】
第２のシステム情報の第２のブロックは、
共通チャネル関連情報または共有チャネル関連情報と、
セル送信情報と、
セル選択関連情報と、
配置関連情報と、
マルチメディアブロードキャストマルチキャストサービス（ＭＢＭＳ）関連情報と
のうちの１つをさらに含む、請求項１５に記載の方法。
【請求項２０】
前記ダウンリンク共有チャネルは、ＨＡＲＱ（ハイブリッド自動リピート要求）スキームをサポートする、請求項１５に記載の方法。
【請求項２１】
第２のシステム情報の前記第１のブロックは、Ｖａｌｕｅ  ｔａｇ情報およびセルアクセス関連情報をさらに含み、
該セルアクセス関連情報は、ＰＬＭＮ（Ｐｕｂｌｉｃ  Ｌａｎｄ  Ｍｏｂｉｌｅ  Ｎｅｔｗｏｒｋ）識別情報、追跡エリア識別情報およびセル禁止情報のうちの少なくとも１つを含む、請求項１５に記載の方法。
【請求項２２】
第１のシステム情報のブロックを送信するステップは、
対応する第１の所定期間に従って、前記放送チャネルを介して第１のシステム情報のブロックを定期的に送信することを包含する、請求項１５に記載の方法。
【請求項２３】
第２のシステム情報の第１のブロックを送信するステップは、
対応する第２の所定期間に従って、前記ダウンリンク共有チャネルを介して第２のシステム情報の第１のブロックを定期的に送信することを包含する、請求項２２に記載の方法。
【請求項２４】
第２のシステム情報の第１のブロックを送信するステップは、
前記第１のシステム情報のブロックを送信した後の所定の時間において、第２のシステム情報の前記第１のブロックを送信することを包含する、請求項１５に記載の方法。
【請求項２５】
第１のシステム情報のブロックを送信するステップは、
前記放送チャネルの所定のフレームにおいて第１のシステム情報のブロックを送信することを包含する、請求項１５に記載の方法。
【請求項２６】
第２のシステム情報の第１のブロックを送信するステップは、
前記ダウンリンク共有チャネルの所定のフレームにおいて第２のシステム情報の第１のブロックを送信することを包含する、請求項１５に記載の方法。
【請求項２７】
第２のシステム情報の第２のブロックを送信するステップは、
第２のシステム情報の複数の第２のブロックを送信することであって、第２のシステム情報の各第２のブロックは相互に排他的である、請求項１５に記載の方法。
【請求項２８】
第２のシステム情報の各第２のブロックは、対応する第２のブロック期間を有する、請求項２７に記載の方法。